(57)【要約】  雌ハウジングと雄ハウジングとの係合を保証するためのコネクタ位置保証（ＣＰＡ）部材が開示される。ＣＰＡ部材は、雌ハウジングによって形成される開口部と安定して確実に嵌合するように設計されるアームを含む。また、雌ハウジングは、ＣＰＡ部材と係合し、雌ハウジングと雄ハウジングとを確実に結合するために使用されるコネクタラッチを含む。
2021516848.tif 000002
【特許請求の範囲】
【請求項１】
コネクタ位置保証部材であって、
第１の上側アームと、
第１の下側アームと、
第２の上側アームと、
第２の下側アームと、
前縁部と、
可撓性であり、前方先端部を有する中央ビームと
を備える、コネクタ位置保証部材。
【請求項２】
前記第１の上側アームは、ハウジングの第１の上側開口部によって受容されるように構成され、
前記第１の下側アームは、ハウジングの第１の下側開口部によって受容されるように構成され、
前記第２の上側アームは、ハウジングの第２の上側開口部によって受容されるように構成され、
前記第２の下側アームは、ハウジングの第２の下側開口部によって受容されるように構成されている、請求項１記載のコネクタ位置保証部材。
【請求項３】
前記前縁部は、ハウジングの突出部と係合するように構成されている、請求項１記載のコネクタ位置保証部材。
【請求項４】
前記前方先端部は、ハウジングのコネクタラッチと係合するように構成されている、請求項１記載のコネクタ位置保証部材。
【請求項５】
前記第１の上側アームは、第１の表面を有し、
前記第１の上側開口部は、第１の表面を有し、
前記第１の上側アームの前記第１の表面は、前記第１の上側開口部の前記第１の表面と係合するように構成されている、
請求項１記載のコネクタ位置保証部材。
【請求項６】
ハウジングの「Ｔ」字形のガイド部材を受容するように構成される、「Ｔ」字形の開口部をさらに備える、請求項１記載のコネクタ位置保証部材。
【請求項７】
前記前縁部は、前記コネクタ位置保証部材がプレセット位置にあるときに、ハウジングの突出部と係合するように構成され、
前記前縁部は、前記コネクタ位置保証部材がセット位置にあるときに、前記ハウジングの前記突出部から離間されるように構成されている、
請求項１記載のコネクタ位置保証部材。
【請求項８】
前記前方先端部は、前記コネクタ位置保証部材がプレセット位置にあるときに、ハウジングのコネクタラッチの第１の側部と係合するように構成され、
前記前方先端部は、前記コネクタ位置保証部材がセット位置にあるときに、前記ハウジングの前記コネクタラッチの第２の側部と係合するように構成されている、
請求項１記載のコネクタ位置保証部材。
【請求項９】
前記前方先端部の側部に少なくとも１つの袖部をさらに備え、
前記少なくとも１つの袖部は、ハウジングのラッチビームと係合する、請求項１記載のコネクタ位置保証部材。
【請求項１０】
前記前方先端部は、ハウジングのコネクタラッチと係合するように構成され、
前記少なくとも１つの袖部とラッチビームとの係合により、前記前方先端部が前記コネクタラッチの上方で移動することが妨げられる、
請求項９記載のコネクタ位置保証部材。
【請求項１１】
コネクタ位置保証部材を第１のハウジングと連結する方法であって、
コネクタ位置保証部材の第１のアームを第１のハウジングの第１の開口部内に受容するステップと、
前記コネクタ位置保証部材の前縁部と前記第１のハウジングの突出部とを係合するステップと、
前記コネクタ位置保証部材の前方先端部と前記第１のハウジングのコネクタラッチとを係合するステップと
を含む、方法。
【請求項１２】
第１の上側アームを第１の上側開口部内に受容するステップであって、前記第１のアームが前記第１の上側アームに対応し、前記第１の開口部が前記第１の上側開口部に対応する、ステップと、
第１の下側アームを第１の下側開口部内に受容するステップであって、前記コネクタ位置保証部材が、前記第１の下側アームを有し、前記第１のハウジングが、前記第１の下側開口部を形成する、ステップと、
第２の上側アームを第２の上側開口部内に受容するステップであって、前記コネクタ位置保証部材が、前記第２の上側アームを有し、前記第１のハウジングが、前記第２の上側開口部を形成する、ステップと、
第２の下側アームを第２の下側開口部内に受容するステップであって、前記コネクタ位置保証部材が前記第２の下側アームを有し、前記第１のハウジングが前記第２の下側開口部を形成する、ステップと
をさらに含む、請求項１１記載の方法。
【請求項１３】
前記第１のアームの第１の表面と前記第１の開口部の第１の表面とを係合させるステップをさらに含む、請求項１１記載の方法。
【請求項１４】
前記第１のハウジングの「Ｔ」字形のガイド部材を前記コネクタ位置保証部材によって形成される「Ｔ」字形の開口部内に受容するステップをさらに含む、請求項１１記載の方法。
【請求項１５】
前記コネクタ位置保証部材は、前記前縁部が前記突出部と係合するときに、プレセット位置にある、請求項１１記載の方法。
【請求項１６】
前記第１のハウジングの端部を第２のハウジングによって形成される第１の開口部内に受容するステップと、
前記前方先端部および前記コネクタラッチを第２のハウジングによって形成される第２の開口部にあるように配置するステップと
をさらに含む、請求項１１記載の方法。
【請求項１７】
コネクタ位置保証部材であって、
一対の上側アームと、
一対の下側アームと、
前縁部と
を含む、コネクタ位置保証部材。
【請求項１８】
コネクタ位置保証部材によって形成される開口部に配置される中央ビームと
中央ビームに形成される前方先端部と
をさらに備える、請求項１７記載のコネクタ位置保証部材。
【請求項１９】
前記前方先端部に形成される一対の袖部をさらに備え、
前記コネクタ位置保証部材は、「Ｔ」字形の開口部を形成する、
請求項１８記載のコネクタ位置保証部材。
【請求項２０】
後方直立部をさらに備え、
一対の下側アームは、後方直立部から第１の距離で延び、一対の上側アームは、後方直立部から第２の距離で延び、第１の距離は、第２の距離よりも長い、請求項１７記載のコネクタ位置保証部材。
【発明の詳細な説明】
【技術分野】
【０００１】
［関連出願の相互参照］
本出願は、２０１８年３月１２日に出願された米国仮特許出願第６２／６４１，６０１号の優先権を主張し、その全体が引用により本明細書に組み込まれる。
【背景技術】
【０００２】
本発明は、概して、雌ハウジングおよび雄ハウジングと共に使用され得るコネクタ位置保証（connector position assurance：ＣＰＡ）部材に関する。
【発明の概要】
【０００３】
本発明は、概して、雌コネクタアセンブリおよび雄コネクタアセンブリと共に使用され得るコネクタ位置保証（ＣＰＡ）部材に関する。雌コネクタアセンブリは、少なくとも雌ハウジングおよびＣＰＡ部材を含む。雄コネクタアセンブリは、少なくとも雄ハウジングを含む。雌コネクタアセンブリおよび雄コネクタアセンブリは嵌合して一体となり得る。
【０００４】
本発明のＣＰＡ部材は、雄ハウジングと雌ハウジングとの係合を保証することによって恩恵を提供する。雌ハウジングは、電気コネクタ装置と確実に結合するために使用されるコネクタラッチをさらに含む。
【０００５】
電気コネクタ装置の端子が適切に位置付けられることを保証するために、端子位置保証（ＴＰＡ）部材は、雌ハウジング内に挿入され得る。
【０００６】
本発明の雌ハウジングと、雄ハウジングと、本発明のＣＰＡ部材と、本発明のコネクタラッチとを有する電気コネクタ装置は、多くの望ましい特性を示す。たとえば、望ましい特性の１つは、雄インラインおよび／またはヘッダに対する変更を必要とすることなく、本発明のＣＰＡ部材および雌ハウジングが、既存の雄ハウジングとともに使用され得ることである。
【０００７】
また、望ましい特性の１つは、雄ハウジングの全体形状に対する変更を必要とすることなく、本発明のＣＰＡ部材および雌ハウジングが、既存の雄ハウジングとともに使用され得ることである。
【０００８】
非常に効果的なＣＰＡ部材の恩恵を現在有していない既存の雄ハウジングがある。すなわち、これらの既存の雄ハウジングは、非常に効果的なＣＰＡ部材を収容する構成を有していない。したがって、これらの既存の雄ハウジングは、非常に効果的なＣＰＡ部材によって提供される雌ハウジングと雄ハウジングとの係合の有益な保証を有していない。
【０００９】
本明細書に開示される本発明の原理によれば、雌ハウジングの少なくともいくつかの内部態様は、非常に効果的なＣＰＡ部材を収容するために修正されており、一方、雌ハウジングの少なくともいくつかの外部態様は修正されていない。雌ハウジングの外部態様が修正されていないため、本発明の雌ハウジングおよび本発明の非常に効果的なＣＰＡ部材は、既存の雄ハウジングとともに使用され得る。したがって、既存の雄ハウジングは、たとえあったとしても、大幅に修正される必要はなく、既存の雄ハウジングは、本発明の雌ハウジングおよび本発明のＣＰＡ部材とともに使用され得る。このことは、以前には非常に効果的なＣＰＡ部材とともに使用されていなかった既存の雄ハウジングが、このようなＣＰＡ部材とともに使用されるという恩恵を有し得るという利点がある。
【００１０】
雌ハウジングは、既存の雄ハウジングと良好に嵌合する形状を有しながらも、非常に効果的なＣＰＡ部材を収容し得る開口部および／またはスロットなどの特徴を有するように特別に設計および作製されている。
【００１１】
本発明のＣＰＡ部材は、非常に効果的であり、本発明の雌ハウジングおよび上述した既存の雄ハウジングと良好に嵌合する形状および特徴を有するように特別に設計および作製されている。
【００１２】
本発明の他の望ましい特性は、以下の通りである。雌コネクタアセンブリと雄ハウジングとが結合するときの特別な大きな音である可聴「クリック」音があること。低プロファイルのコネクタ位置保証（ＣＰＡ）部材；低プロファイルのコネクタラッチ。コネクタラッチに対する恒久的な固定への耐性。ＣＰＡ部材に対する最終的なロック位置への移動に対する耐性。適度な補強。相互保持。良好な機械的強度。容易な成形機能。ユーザの二次的な操作が不要であること。故障防止手段。ラッチ形状の良好な寸法制御。
【００１３】
ＣＰＡ部材が、その輸送中に雌ハウジングに接続するために利用可能にされることを保証するために、たとえば、ＣＰＡ部材は、プレセット位置で雌ハウジングに係合される。
【００１４】
雄ハウジングおよび雌コネクタアセンブリは結合され、ＣＰＡ部材が最終的なロック位置に配置されたときに、その係合が確実となる。
【００１５】
電気コネクタにとって、可聴「クリック」音を有することが望ましい特性である。たとえば、自動車電気コネクタの構成要素が互いに完全に嵌合されたときに、構成要素が完全に嵌合されたという好適な保証のために可聴「クリック」音を有することが望ましい特性である。自動車コネクタの分野では、特別な大きな音が好ましい。「クリック」音は、たとえば、ラッチ機能の相互作用によって達成され得る。
【００１６】
ラッチ機構を予圧された状態で配置することによって、第１のコネクタアセンブリおよび第２のハウジングが結合したときに付加的な力が生まれ、その付加的な力は、ラッチ機構が予圧された状態でなかった場合よりも、可聴「クリック」音をより大きくする助けとなる。
【００１７】
コネクタラッチに望ましい特性は、低いプロファイルを有することである。コネクタラッチを歪みのない位置で製造することによって、コネクタラッチが誤った方向に付勢されて破損することを防ぐために過大応力保護機構を作成するのに必要とされる間隙が必要とされない。間隙は、ラッチシステムの全体の高さから除くことができ、それにより、コネクタラッチは低いプロファイルを有することができる。
【００１８】
固定への耐性を有することが望ましい特性である。たとえば、自動車のワイヤハーネスが出荷のために束ねられるときに、コネクタラッチは、意図せずに圧縮され、歪みのある位置で保持され得る。特に高温環境では、この状態によって、コネクタラッチは、恒久的な固定としても知られている、恒久的に歪みを生じ、これにより、コネクタラッチは無用となるか、または効果的ではなくなる。コネクタラッチを予圧することにより、コネクタラッチは、この故障モードに対してより耐性を持つようになる。
【００１９】
ラッチ形状の良好な寸法制御を有することが望ましい特性である。コネクタラッチを寸法的に安定した特徴に対して予圧を加えることによって、コネクタラッチ機能の高さを容易に制御することができる。
【００２０】
コネクタラッチが製造された後、コネクタラッチは歪みのない位置にある。その後、コネクタラッチを歪ませ、予圧された位置にロックするために、コネクタラッチに対して、嵌合前の歪みプロセス（pre-mating deflection process）を行う。嵌合前の歪みプロセスが完了した後、コネクタラッチは、予圧された位置にロックされ、予圧されたコネクタラッチと呼ばれ得る。
【００２１】
第１のコネクタアセンブリおよび第２のハウジングが結合すると、コネクタラッチが可聴「クリック」音を発生させるため、その係合が確実となる。第１のコネクタアセンブリは、コネクタと呼ばれ得て、たとえば、少なくとも第１のハウジングおよびコネクタ位置保証部材を含み得る。第１のコネクタアセンブリは、たとえば、雌コネクタアセンブリまたは他のタイプのコネクタアセンブリに対応し得る。第１のハウジングは、たとえば、雌ハウジングまたは他のタイプのハウジングに対応し得る。第２のハウジングは、たとえば、雄ハウジングまたは他のタイプのハウジングに対応し得る。歪みのない位置は、伸張および弛緩された歪みのない位置とも呼ばれ得る。
【００２２】
ＣＰＡ部材は、少なくとも、たとえば以下を含む、多くの望ましい特性を提供する。ＣＰＡ部材がハウジング内に挿入されたときに、システムの最大限の潜在力および望ましい可聴「クリック」音を達成する助けとなる。出荷中および／または取扱い中にＣＰＡ部材が最終的なロック位置（または「セット」位置）に移動することを回避する助けとなる。また、ユーザの二次的な動作を必要としない。故障を防ぐ助けとなる。
【００２３】
本発明のさらなる特徴、利点、および実施形態は、以下の詳細な説明、図面および特許請求の範囲を考慮することによって明記されるか、または明らかにされる。さらに、本発明の上記の概要および以下の詳細な説明の両方が、例示的であり、請求される本発明の範囲を限定することなく、さらなる説明を提供することを意図していることが理解されるべきである。
【図面の簡単な説明】
【００２４】
【図１】本発明の原理による、ＣＰＡ部材を受容するように構成される雌ハウジングの斜視図である。
【図２】図１の雌ハウジングの斜視図である。
【図３】図１の雌ハウジングの斜視図である。
【図４】図１の雌ハウジングの前端の立面図である。
【図５Ａ】図１の雌ハウジングの前端の立面図である。
【図５Ｂ】５Ｂ−５Ｂ線に沿って得られる、図５Ａの雌ハウジングの断面図である。
【図５Ｃ】５Ｂ−５Ｂ線に沿って得られる、図５Ａの雌ハウジングの斜視図である。
【図６Ａ】図１の雌ハウジングの前端の立面図である。
【図６Ｂ】６Ｂ−６Ｂ線に沿って得られる、図６Ａの雌ハウジングの断面図である。
【図６Ｃ】６Ｂ−６Ｂ線に沿って得られる、図６Ａの雌ハウジングの斜視図である。
【図７】ＴＰＡ部材およびＣＰＡ部材を備える、図１の雌ハウジングの斜視図である。
【図８Ａ】ＴＰＡ部材およびＣＰＡ部材を備える、図１の雌ハウジングの後端の立面図である。
【図８Ｂ】８Ｂ−８Ｂ線に沿って得られる、図８Ａの雌ハウジングの断面図である。
【図９Ａ】ＴＰＡ部材およびＣＰＡ部材を備える、図１の雌ハウジングの後端の立面図である。
【図９Ｂ】９Ｂ−９Ｂ線に沿って得られる、図９Ａの雌ハウジングの断面図である。
【図１０Ａ】雄ハウジングを備える、図１の雌ハウジングの後端の立面図である。
【図１０Ｂ】１０Ｂ−１０Ｂ線に沿って得られる、図１０Ａの雌ハウジングおよび雄ハウジングの断面図である。
【図１０Ｃ】図１０Ａの雌ハウジングおよび雄ハウジングの斜視図である。
【図１１】本発明の原理によるＣＰＡ部材の斜視図である。
【図１２】図１１のＣＰＡ部材の斜視図である。
【図１３】図１１のＣＰＡ部材の上面図である。
【図１４】図１１のＣＰＡ部材の底面図である。
【図１５】図１１のＣＰＡ部材の前端の立面図である。
【図１６】図１１のＣＰＡ部材の後端の立面図である。
【図１７Ａ】図１１のＣＰＡ部材の前端の立面図である。
【図１７Ｂ】１７Ｂ−１７Ｂ線に沿って得られる、図１７ＡのＣＰＡ部材の断面図である。
【図１８Ａ】図１１のＣＰＡ部材の前端の立面図である。
【図１８Ｂ】１８Ｂ−１８Ｂ線に沿って得られる、図１８ＡのＣＰＡ部材の断面図である。
【図１９Ａ】図１１のＣＰＡ部材の前端立面図である。
【図１９Ｂ】１９Ｂ−１９Ｂ線に沿って得られる、図１９ＡのＣＰＡ部材の断面図である。
【発明を実施するための形態】
【００２５】
図１は、本発明の原理による、ＣＰＡ部材を受容するように構成される雌ハウジングの斜視図である。図１は、雌ハウジング１００が、前端部１０２と、第２の側部１０８と、上部１１０と、前端部１０２における少なくとも１つの端子用開口部１１４とを示す。
【００２６】
本発明は、概して、雌コネクタアセンブリおよび雄コネクタアセンブリとともに使用し得るコネクタ位置保証（ＣＰＡ）部材に関する。雌コネクタアセンブリは、少なくとも雌ハウジングおよびコネクタ位置保証（ＣＰＡ）部材を含む。雄コネクタアセンブリは、少なくとも雄ハウジングを含む。雌コネクタアセンブリおよび雄コネクタアセンブリは、結合され得る。
【００２７】
図２は、図１の雌ハウジングの斜視図である。図２は、雌ハウジング１００が、後端部１０４と、第１の側部１０６と、後端部における少なくとも１つの端子用開口部１２６と、コネクタラッチのボタン１４０と、コネクタラッチの第１のラッチビーム１４６と、コネクタラッチの第２のラッチビーム１４８と、コネクタラッチのラッチ面１５０とを有することを例示する。
【００２８】
図３は、図１の雌ハウジングの斜視図である。図３は、雌ハウジング１００が、「Ｔ」字形のガイド部材１２８と、ＣＰＡ部材の一部分を受容するための（第１の側部１０６近くの）上側開口部１３０と、ＣＰＡ部材２００の一部を受容するための（第１の側部１０６近くの）下側開口部１３２とを有することを例示する。
【００２９】
非常に効果的なＣＰＡ部材２００は、雄ハウジング４００と雌ハウジング１００との係合を保証することによる恩恵を提供する。雌ハウジング１００は、電気コネクタ装置を確実に結合するために使用されるコネクタラッチをさらに含む。電気コネクタ装置用の端子が適切に位置付けられることを保証するために、端子位置保証（ＴＰＡ）部材３００は、雌ハウジングに挿入され得るが、ＴＰＡ部材３００は必要とされない。
【００３０】
本発明の雌ハウジング１００、雄ハウジング４００、本発明のＣＰＡ部材２００、および本発明のコネクタラッチを有する、電気コネクタ装置は、多くの望ましい特性を有する。たとえば、望ましい特性の１つは、雄インラインおよび／またはヘッダに対する変更を必要とすることなく、本発明のＣＰＡ部材および雌ハウジングを既存の雄ハウジングとともに使用し得ることである。
【００３１】
また、望ましい特性の１つは、雄ハウジングの全体形状に対する変更を必要とすることなく、本発明のＣＰＡ部材および雌ハウジングを既存の雄ハウジングとともに使用し得ることである。
【００３２】
非常に効果的なＣＰＡ部材の恩恵を現在有していない既存の雄ハウジングがある。すなわち、これらの既存の雄ハウジングは、非常に効果的なＣＰＡ部材を収容する構成を有していない。したがって、これらの既存の雄ハウジングは、非常に効果的なＣＰＡ部材によって提供される雌ハウジングと雄ハウジングとの係合の有益な保証を有していない。
【００３３】
本明細書に開示される本発明の原理によれば、雌ハウジングの少なくともいくつかの内部態様は、非常に効果的なＣＰＡ部材を収容するために修正されており、一方、雌ハウジングの少なくともいくつかの外部態様は修正されていない。雌ハウジングの外部態様が修正されていないため、本発明の雌ハウジングおよび本発明の非常に効果的なＣＰＡ部材は、既存の雄ハウジングとともに使用され得る。したがって、既存の雄ハウジングは、たとえあったとしても、大幅に修正される必要はなく、本発明の雌ハウジングおよび本発明のＣＰＡ部材とともに使用され得る。このことは、以前には非常に効果的なＣＰＡ部材とともに使用されていなかった既存の雄ハウジングが、このようなＣＰＡ部材とともに使用されるという恩恵を有し得るという利点がある。
【００３４】
雌ハウジングは、既存の雄ハウジングと良好に嵌合する形状を有しながらも、非常に効果的なＣＰＡ部材を収容し得る開口部および／またはスロットなどの特徴を有するように特別に設計および作製されている。
【００３５】
本発明のＣＰＡ部材は、非常に効果的であり、本発明の雌ハウジングおよび上述した既存の雄ハウジングと良好に嵌合する形状および特徴を有するように特別に設計および作製されている。
【００３６】
完全なコネクタアセンブリは、たとえば、雄コネクタアセンブリおよび雌コネクタアセンブリを含み得る。雄コネクタアセンブリは、雄ハウジングを含むことができ、１つまたは複数の端子位置保証（ＴＰＡ）部材および／または１つまたは複数のコネクタ位置保証（ＣＰＡ）部材をも含み得る。雌コネクタアセンブリは、雌ハウジングを含むことができ、１つまたは複数の端子位置保証部材および／または１つまたは複数のコネクタ位置保証部材を含み得る。
【００３７】
たとえば、雌コネクタアセンブリは、雌ハウジングと、随意のＴＰＡ部材と、ＣＰＡ部材とからなり得る。この例では、ＴＰＡ部材およびＣＰＡ部材は、雌サブアセンブリのために、プレセット位置で雌ハウジングに挿入される。その後、雌サブアセンブリは雄ハウジングに挿入される。
【００３８】
雄コネクタアセンブリは、たとえば、雄ハウジングと任意のＴＰＡ部材とからなり得る。この例では、雄サブアセンブリのために、任意のＴＰＡ部材は、プレセット位置で雄ハウジングに挿入される。
【００３９】
雌コネクタアセンブリおよび雄コネクタアセンブリは、概して、別個に組み立てられる。雌コネクタアセンブリおよび雄コネクタアセンブリの両方に端子を挿入した後、端子に対する二次的なロックを提供するために、ＴＰＡ部材は、最終ロック位置に押圧され得る。両方のサブアセンブリは、その後、嵌合され、完全なコネクタアセンブリを形成する。
【００４０】
雌ハウジングは、雄ハウジングと係合して結合するコネクタラッチを有する。ＣＰＡ部材は、雌コネクタアセンブリと雄コネクタアセンブリの両方がロックされているという保証を提供する。
【００４１】
予め、ＣＰＡ部材は、プレセット位置で雌ハウジング内に配置される。その後、適切なときに、ＣＰＡ部材は、最終的なロック位置（完全にロックされた位置、「セット」位置）に押圧される。
【００４２】
本発明のＣＰＡ部材は、多くの利点および改善を含む。本発明のＣＰＡ部材は、出荷中および取扱い中に、ロックラッチが損傷／変形するのを防ぐ助けとなり、したがって、嵌合の問題を防ぐ助けとなり得る。
【００４３】
本発明のＣＰＡ部材は、ＣＰＡ部材が、出荷中および取扱い中に、損傷／変形するのを防ぐ助けとなり、したがって、嵌合の問題を防ぐ助けとなり得る。
【００４４】
本発明のＣＰＡ部材は、ユーザが二次操作に従事することを必要としないようにする助けとなり得る。
【００４５】
本発明のＣＰＡ部材は、たとえば、出荷中および／または取扱い中に、最終的なロック位置へのＣＰＡ部材の偶発的な移動に関連する問題を防ぐ助けとなるため、ユーザからの苦情を防ぐ助けとなり得る。
【００４６】
本発明のＣＰＡ部材は、雌ハウジングと雄ハウジングとが互いに係合したときの、優れた可聴クリック音、適度な補強、相互保持、良好な機械的強度、および雌ハウジングのコネクタラッチを上部に組み込んだ状態で（with overbuild）製造し、その後、組み立て中にコネクタラッチのボタンをプレセット位置に押圧することによる極めて容易な成形への考慮を提供するように設計される、雌ハウジングとＣＰＡ部材とを備える、改善されたコネクタアセンブリの提供を容易にする。
【００４７】
雌ハウジングが製造された後、本明細書に開示される原理によれば、コネクタラッチは、伸張および弛緩された歪みのない位置にある。コネクタラッチがその位置にあるとき、コネクタラッチのボタン１４０は、雌ハウジング１００の上部１１０の上で上方に延びる。ボタン１４０は、ラッチビーム１４６および１４８によって伸張および弛緩された歪みのない位置に保持される。
【００４８】
上述したように、雌ハウジングが製造された後、本明細書に開示される原理によれば、コネクタラッチは、伸張および弛緩された歪みのない位置にある。その後、コネクタラッチを歪ませ、予圧された位置にコネクタラッチをロックするために、コネクタラッチに対して、嵌合前の歪みプロセス（pre-mating deflection process）を行う。
【００４９】
コネクタラッチのための嵌合前の歪みプロセスは、ボタン１４０を「Ｔ」字形のガイド部材１２８に向かって下方に付勢することを含み得る。
【００５０】
嵌合前の歪みプロセスが完了した後、コネクタラッチは、予圧された位置にロックされ、予圧されたコネクタラッチと呼ばれ得る。
【００５１】
図１〜図４は、たとえば、本発明の原理によるコネクタラッチを有する雌ハウジング１００を示し、伸張および弛緩された歪みのない位置でのコネクタラッチを示している。
【００５２】
図７、図８Ａ、および図８Ｂは、たとえば、本発明の原理によるコネクタラッチを有する雌ハウジング１００を示し、予圧された位置にロックされたコネクタラッチを示している。図７、図８Ａ、および図８Ｂはまた、たとえば、プレセット位置でのＣＰＡ部材２００を示している。
【００５３】
図４は、図１の雌ハウジングの前端の立面図である。図４は、雌ハウジングが、ＣＰＡ部材２００の一部を受容するための（第２の側部１０８近傍の）上側開口部１３４を有し、また、ＣＰＡ部材２００の一部を受容するための（第２の側部１０８近傍の）下側開口部１３６を有することを例示している。
【００５４】
図４は、上側開口部１３０が上壁１３０ａおよび下壁１３０ｂを有し、下側開口部１３２が上壁１３２ａおよび下壁１３２ｂを有し、上側開口部１３４が上壁１３４ａおよび下壁１３４ｂを有し、下側開口部１３６が上壁１３６ａおよび下壁１３６ｂを有することを示している。
【００５５】
図５Ａは、図１の雌ハウジングの前端の立面図である。図５は、雌ハウジング１００の内部に突出部１２２があることを例示している。図５Ｂは、５Ｂ−５Ｂ線に沿って得られる、図５Ａの雌ハウジングの断面図である。図５Ｃは、５Ｂ−５Ｂ線に沿って得られる、図５Ａの雌ハウジングの斜視図である。
【００５６】
図６Ａは、図１の雌ハウジングの前端の立面図である。図６Ｂは、６Ｂ−６Ｂ線に沿って得られる、図６Ａの雌ハウジングの断面図である。図６Ｂは、雌ハウジング２００が底部１１２を有することを例示している。図６Ｃは、６Ｂ−６Ｂ線に沿って得られる、図６Ａの雌ハウジングの斜視図である。
【００５７】
図７は、端子位置保証（ＴＰＡ）部材およびコネクタ位置保証（ＣＰＡ）部材を備える、図１の雌ハウジングの斜視図である。図７は、雌ハウジング１００の後端部１０４に挿入されたＴＰＡ部材３００を示している。
【００５８】
図７は、雌ハウジング１００の前端部１０２に挿入されたＣＰＡ部材２００を示している。ＣＰＡ部材２００は、プレセット位置で示されている。図７は、ＣＰＡ部材２００の前縁部２０２、ＣＰＡ部材２００の中央ビームの前方先端部２０５、およびＣＰＡ部材２００の後方直立部２１４を示している。
【００５９】
プレセット位置でのＣＰＡ部材２００を図示する図７に示されるように、前方先端部２０５は、コネクタラッチのラッチ面１５０とコネクタラッチのボタン１４０との間に配置される。
【００６０】
図８Ａは、ＴＰＡ部材およびＣＰＡ部材を備える、図１の雌ハウジングの後端の立面図である。図８Ｂは、８Ｂ−８Ｂ線に沿って得られる、図８Ａの雌ハウジングの断面図である。図８Ｂは、プレセット位置でのＣＰＡ部材２００を図示している。図８Ｂは、ＣＰＡ部材２００の前方先端部２０５が、コネクタラッチのラッチ面１５０とコネクタラッチのボタン１４０との間に配置されることを示している。
【００６１】
図８Ｂに示されるように、ＣＰＡ部材２００の前方先端部２０５は、ラッチ面１５０と係合する。図８Ｂは、ＣＰＡ部材２００が、プレセット位置まで、雌ハウジング１００の前端部１０２に部分的に挿入された状態を図示している。図８Ｂは、ＣＰＡ部材２００が、完全にロックされた位置（「セット」位置）まで、雌ハウジング１００の前端部１０２に完全に挿入された状態を図示するものではない。
【００６２】
プレセット位置では、図８Ｂに示されるように、雌ハウジング１００のラッチ面１５０は、ＣＰＡ部材２００の前方先端部２０５に係合し、それによって、ＣＰＡ部材２００がさらに雌ハウジング１００に容易に移動することを防ぐ。また、プレセット位置では、図８Ｂに示されるように、雌ハウジング１００の突出部１２２は、ＣＰＡ部材２００の前縁部２０２に係合し、それによって、ＣＰＡ部材２００が雌ハウジング１００から容易に移動して出ることを防ぐ。
【００６３】
図９Ａは、ＴＰＡ部材およびＣＰＡ部材を備える、図１の雌ハウジングの後端の立面図である。図９Ｂは、９Ｂ−９Ｂ線に沿って得られる、図９Ａの雌ハウジングの断面図である。
【００６４】
図９Ｂは、完全にロックされた位置（「セット」位置）でのＣＰＡ部材２００を図示している。図９Ｂは、コネクタラッチのラッチ面１５０が、ＣＰＡ部材２００の前方先端部２０５とコネクタラッチのボタン１４０との間に配置されることを示している。
【００６５】
図９Ｂに示されるように、ＣＰＡ部材２００の前方先端部２０５は、ラッチ面１５０と係合する。図９Ｂは、ＣＰＡ部材２００が、完全ロック位置（「セット」位置）まで、雌ハウジング１００の前端部１０２に完全に挿入された状態を図示している。
【００６６】
完全にロックされた位置では、図９Ｂに示されるように、雌ハウジング１００のラッチ面１５０は、ＣＰＡ部材２００の前方先端部２０５の側部に係合し、それによって、ＣＰＡ部材２００が雌ハウジング１００から容易に移動して出ることを防ぐ。
【００６７】
また、完全にロックされた位置では、図９Ｂに示されるように、雌ハウジング１００の突出部１２２は、ＣＰＡ部材２００の前方先端部２０５の底部に係合し、それによって、前方先端部２０５が容易に下方に移動することを防ぐ。前方先端部２０５が容易に下方に移動することが防がれるため、これは、前方先端部２０５が、ラッチ面１５０の下に容易に入り得ないことを意味している。このようにして、ＣＰＡ部材２００は、雌ハウジング１００から容易に移動して出ることが防がれる。
【００６８】
図１０Ａは、雄ハウジングを備える、図１の雌ハウジングの後端の立面図である。図１０Ｂは、１０Ｂ−１０Ｂ線に沿って得られる、図１０Ａの雌ハウジングおよび雄ハウジングの断面図である。図１０Ｃは、図１０Ａの雌ハウジングおよび雄ハウジングの斜視図である。
【００６９】
図１０Ａ、図１０Ｂ、および図１０Ｃは、前端部４０２、後端部４０４、第１の側部４０６、上部４１０、底部４１２、上部４１０の開口部４１４、および後端部４０４の少なくとも１つの端子用開口部４２６を有する、雄ハウジング４００を示している。
【００７０】
図１０Ｂおよび図１０Ｃに示されるように、ＣＰＡ部材２００の前方先端部２０５および雌ハウジング１００のラッチ面１５０は、両方とも開口部４１４内に示され、ラッチ面１５０は、前方先端部２０５とボタン１４０との間に配置されている。開口部４１４によって、ユーザは、雌ハウジング１００、ＣＰＡ部材２００、および雄ハウジング４００が、完全にロックされた位置（「セット」位置）にあることを視認することが可能になる。
【００７１】
図１１は、本発明の原理によるＣＰＡ部材の斜視図である。図１１は、コネクタ位置保証（ＣＰＡ）部材２００が、前縁部２０２、中央開口部２０３、中央ビーム２０４、中央ビーム２０４上の前方先端部２０５、ＣＰＡ部材２００の第１の側部上の上側アーム２０６、ＣＰＡ部材２００の第１の側部上の下側アーム２１６、およびＣＰＡ部材２００の第２の側部上の上側アーム２０８を有することを示している。中央開口部２０３は、中央ビーム２０４の近傍に空間を提供し、中央ビーム２０４が上下に移動することを可能にする。
【００７２】
図１１に示されるように、上側アーム２０６は、上面２０６ａを有する。また、上側アーム２０８は、上面２０８ａを有する。下側アーム２１６は、上面２１６ａを有する。前方先端部２０５の第１の側部は、袖部２３６を有する。
【００７３】
図１２は、図１１のＣＰＡ部材の斜視図である。図１２は、ＣＰＡ部材２００の後方直立部２１４、ＣＰＡ部材２００の第２の側部上の下側アーム２１８、下側アーム２１８の上面２１８ａ、および前方先端部２０５の第２の側部上の袖部２３８を示している。
【００７４】
図１３は、図１１のＣＰＡ部材の上面図である。図１４は、図１１のＣＰＡ部材の底面図である。
【００７５】
図１５は、図１１のＣＰＡ部材の前端の立面図である。図１５は、図１１のＣＰＡ部材２００が「Ｔ」字形の開口部２２８を形成することを示している。図１５はまた、上側アーム２０６の下面２０６ｂ、上側アーム２０８の下面２０８ｂ、ＣＰＡ部材２００の上部２１０、およびＣＰＡ部材２００の底部２１２を示している。
【００７６】
図１６は、図１１のＣＰＡ部材の後端の立面図である。図１７Ａは、図１１のＣＰＡ部材の前端の立面図である。図１７Ｂは、１７Ｂ−１７Ｂ線に沿って得られる、図１７ＡのＣＰＡ部材の断面図である、図１８Ａは、図１１のＣＰＡ部材の前端の立面図である。図１８Ｂは、１８Ｂ−１８Ｂ線に沿って得られる、図１８ＡのＣＰＡ部材の断面図である。図１９Ａは、図１１のＣＰＡ部材の前端の立面図である。図１９Ｂは、１９Ｂ−１９Ｂ線に沿って得られる、図１９ＡのＣＰＡ部材の断面図である。
【００７７】
雌ハウジング１００は、雄ハウジング４００と係合して結合するコネクタラッチを有する。ＣＰＡ部材２００は、雌ハウジングおよび雄ハウジングの両方がロックされているという保証を提供する。その後、ＣＰＡ部材２００は最終的なロック位置（「セット」位置）に押圧される。
【００７８】
本発明のＣＰＡを備える電気コネクタは、多くの利点および改善を含む。本発明のＣＰＡを備える電気コネクタは、出荷中および取扱い中に、ロックラッチが損傷／変形するのを防ぐ助けとなることができ、したがって、嵌合の問題を防ぐ助けとなり得る。
【００７９】
本発明のＣＰＡを備える電気コネクタは、出荷中および取扱い中にＣＰＡ部材が損傷／変形するのを防ぐ助けとなることができ、したがって、嵌合の問題を防ぐ助けとなり得る。
【００８０】
本発明のＣＰＡを備える電気コネクタは、ユーザが二次操作に従事することを必要としないようにする助けとなり得る。
【００８１】
本発明のＣＰＡを備える電気コネクタは、たとえば、出荷中および／または取扱い中の最終的なロック位置へのＣＰＡ部材の偶発的な移動に関連する問題を防ぐ助けとなるため、ユーザからの苦情を防ぐ助けとなり得る。
【００８２】
本発明のＣＰＡを備える電気コネクタは、雌ハウジングと雄ハウジングとが互いに係合したときの、優れた可聴クリック音、適度な補強、相互保持、良好な機械的強度、および雌ハウジングのコネクタラッチを上部に組み込んだ状態で（with overbuild）製造し、その後、組み立て中にコネクタラッチのボタンをプレセット位置に押圧することによる極めて容易な成形への考慮を提供するように設計される、雌ハウジングとＣＰＡ部材とを備える、改善されたコネクタアセンブリを提供する。
【００８３】
本発明のＣＰＡを備える電気コネクタは、出荷中および取扱い中に、ＣＰＡ部材２００がプレセット位置に留まる助けとなり得る。
【００８４】
本発明のＣＰＡを備える電気コネクタは、たとえば、出荷中および取扱い中にＣＰＡ部材が誤って最終的なロック位置に移動した後に、ＣＰＡ部材を最終的なロック位置からプレセット位置に移動させようとするなどの二次操作にユーザが従事する必要性をなくすことができる。
【００８５】
本発明のＣＰＡを備える電気コネクタは、他のケーブルとの干渉を回避するのを助けるため、顧客の苦情を防ぐ助けとなり得る。
【００８６】
本発明のＣＰＡを備える電気コネクタは、トレイパッケージングの必要性をなくす助けとなり得る。
【００８７】
図８Ｂに示されるように、ＣＰＡ部材２００がプレセット位置にあるとき、前縁部２０２は突出部１２２の左側にあり、前方先端部２０５はラッチ面１５０の右側にある。
【００８８】
図９Ｂの下の図に示されるように、ＣＰＡ部材２００が最終ロック位置にあるとき、前縁部２０２は、示される位置にあり、突出部１２２から離間しており、前方先端部２０５はラッチ面１５０の左側にある。
【００８９】
雌ハウジング２００が雄ハウジング４００と嵌合されるまで、ＣＰＡ部材２００は、典型的に、雌ハウジング２００の前端部１０２に挿入されない。図７〜図９Ｂは、たとえば、雌ハウジング１００が雄ハウジング４００とまだ嵌合されていないときに、ＣＰＡ部材２００が雌ハウジング１００の前端部１０２に挿入される状況を図示しているように見える可能性があり、したがって、例示目的のみの図である。
【００９０】
ＣＰＡ部材２００と雌ハウジング１００との位置合わせおよび嵌合が、ここでさらに説明される。図３は、雌ハウジング１００が、雌ハウジング１００の第１の側部１０６の近傍に上側開口部１３０を形成していることを示している。図１１は、ＣＰＡ部材２００が、ＣＰＡ部材２００の第１の側部に上側アーム２０６を有していることを示している。
【００９１】
ＣＰＡ部材２００が雌ハウジング１００の前端部１０２に挿入されるとき、図８Ｂに示される配置で到達するように意図されるように進行しながら、上側アーム２０６は上側開口部１３０に入り、上側アーム２０８は上側開口部１３４に入り、下側アーム２１６は下側開口部１３２に入り、下側アーム２１８は下側開口部１３６に入る。これらの特徴は、安定性および確実な適合を提供するのに有用である。
【００９２】
このとき、上側アーム２０６の上面２０６ａは、上側開口部１３０の上壁１３０ａと係合し、上側開口部１３０の上壁１３０ａに案内される。上側アーム２０６の下面２０６ｂは、上側開口部１３０の下壁１３０ｂと係合し、上側開口部１３０の下壁１３０ｂに案内される。上側アーム２０８の上面２０８ａは、上側開口部１３４の上壁１３４ａに係合し、上側開口部１３４の上壁１３４ａに案内される。上側アーム２０８の下面２０８ｂは、上側開口部１３４の下壁１３４ｂに係合し、上側開口部１３４の下壁１３４ｂに案内される。これらの特徴は、安定性および確実な嵌合を提供するのに有用である。
【００９３】
また、このとき、ＣＰＡ部材２００の「Ｔ」字形の開口部２２８の少なくとも１つの表面は、雌ハウジング１００の「Ｔ」字形のガイド部材１２８の少なくとも１つの表面に係合し、雌ハウジング１００の「Ｔ」字形のガイド部材１２８の少なくとも１つの表面に案内される。たとえば、ＣＰＡ部材２００の「Ｔ」字形の開口部２２８は、図１７Ａに示されている。たとえば、雌ハウジング１００の「Ｔ」字形のガイド部材１２８は、図３および図４に示されている。これらの特徴は、安定性および確実な嵌合を提供するのに有用である。
【００９４】
さらに、このとき、下側アーム２１６の上面２１６ａは、雌ハウジング１００の表面に係合し、雌ハウジング１００の表面に案内され、また、下側アーム２１８の上面２１８ａは、雌ハウジング１００の表面に係合し、雌ハウジング１００に案内される。これらの特徴は、安定性および確実な嵌合を提供するのに有用である。
【００９５】
以上の説明は、本発明の好ましい実施形態に向けられているが、他の変形および修正が、当業者には明らかであり、本発明の精神または範囲から逸脱することなく実施され得ることに留意されたい。さらに、本発明の一実施形態に関連して説明された特徴は、上記で明示的に述べられていなくても、他の実施形態と関連して使用され得る。
【符号の説明】
【００９６】
１００  雌ハウジング
１０２  雌ハウジング１００の前端部
１０４  雌ハウジング１００の後端部
１０６  雌ハウジング１００の第１の側部
１０８  雌ハウジング１００の第２の側部
１１０  雌ハウジング１００の上部
１１２  雌ハウジング１００の底部
１１４  前端部１０２上の端子用開口部
１２２  雌ハウジング１００の内部の突出部
１２６  後端部１０４上の端子用開口部
１２８  雌ハウジング１００上の「Ｔ」字形のガイド部材
１３０  上側アーム２０６を受容するための、第１の側部１０６近くの上側開口部
１３０ａ  上側開口部１３０の上壁
１３０ｂ  上側開口部１３０の下壁
１３２  下側アーム２１６を受容するための、第１の側部１０６近くの下側開口部１３２
１３２ａ  下側開口部１３２の上壁
１３２ｂ  下側開口部１３２の下壁
１３４  上側アーム２０８を受容するための、第２の側部１０８近くの上側開口部
１３４ａ  上側開口部１３４の上壁
１３４ｂ  上側開口部１３４の下壁
１３６  下側アーム２１８を受容するための、第２の側部１０８近くの下側開口部
１３６ａ  下側開口部１３６の上壁
１３６ｂ  下側開口部１３６の下壁
１４０  雌ハウジング１００上の、コネクタラッチのボタン
１４６  雌ハウジング１００上の、コネクタラッチの第１のラッチビーム
１４８  雌ハウジング１００上の、コネクタラッチの第２のラッチビーム
１５０  雌ハウジング１００上の、コネクタラッチのラッチ面
２００  ＣＰＡ部材
２０２  ＣＰＡ部材２００の前縁部
２０３  ＣＰＡ部材２００によって形成された中央開口部
２０４  ＣＰＡ部材２００の中央ビーム
２０５  中央ビーム２０４の前方先端部
２０６  ＣＰＡ部材２００の第１の側部上の上側アーム
２０６ａ  上側アーム２０６の上面
２０６ｂ  上側アーム２０６の下面
２０８  ＣＰＡ部材２００の第２の側部上の上側アーム
２０８ａ  上側アーム２０８の上面
２０８ｂ  上側アーム２０８の下面
２１０  ＣＰＡ部材２００の上部
２１２  ＣＰＡ部材２００の底部
２１４  ＣＰＡ部材２００の後方直立部
２１６  ＣＰＡ部材２００の第１の側部上の下側アーム
２１６ａ  下側アーム２１６の上面
２１８  ＣＰＡ部材２００の第２の側部上の下側アーム
２１８ａ  下側アーム２１８の上面
２２８  ＣＰＡ部材２００よって形成された「Ｔ」字形の開口部
２３６  前方先端部２０５の第１の側部上の袖部
２３８  前方先端部２０５の第２の側部上の袖部
３００  ＴＰＡ部材
４００  雄ハウジング
４０２  雄ハウジング４００の前端部
４０４  雄ハウジング４００の後端部
４０６  雄ハウジング４００の第１の側部
４１０  雄ハウジング４００の上部
４１２  雄ハウジング４００の底部
４１４  雄ハウジング４００の上部に形成された開口部
４２６  後端部４０４上の端子用開口部
【図１】
2021516848.tif 000003
【図２】
2021516848.tif 000004
【図３】
2021516848.tif 000005
【図４】
2021516848.tif 000006
【図５Ａ】
2021516848.tif 000007
【図５Ｂ】
2021516848.tif 000008
【図５Ｃ】
2021516848.tif 000009
【図６Ａ】
2021516848.tif 000010
【図６Ｂ】
2021516848.tif 000011
【図６Ｃ】
2021516848.tif 000012
【図７】
2021516848.tif 000013
【図８Ａ】
2021516848.tif 000014
【図８Ｂ】
2021516848.tif 000015
【図９Ａ】
2021516848.tif 000016
【図９Ｂ】
2021516848.tif 000017
【図１０Ａ】
2021516848.tif 000018
【図１０Ｂ】
2021516848.tif 000019
【図１０Ｃ】
2021516848.tif 000020
【図１１】
2021516848.tif 000021
【図１２】
2021516848.tif 000022
【図１３】
2021516848.tif 000023
【図１４】
2021516848.tif 000024
【図１５】
2021516848.tif 000025
【図１６】
2021516848.tif 000026
【図１７Ａ】
2021516848.tif 000027
【図１７Ｂ】
2021516848.tif 000028
【図１８Ａ】
2021516848.tif 000029
【図１８Ｂ】
2021516848.tif 000030
【図１９Ａ】
2021516848.tif 000031
【図１９Ｂ】
2021516848.tif 000032
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
コネクタ位置保証部材であって、
第１の上側アームと、
第１の下側アームと、
第２の上側アームと、
第２の下側アームと、
前縁部と、
可撓性であり、前方先端部を有する中央ビームと
を備え、
前記前縁部は、前記前方先端部および前記中央ビームから離間されている、コネクタ位置保証部材。
【請求項２】
前記第１の上側アームは、ハウジングの第１の上側開口部によって受容されるように構成され、
前記第１の下側アームは、ハウジングの第１の下側開口部によって受容されるように構成され、
前記第２の上側アームは、ハウジングの第２の上側開口部によって受容されるように構成され、
前記第２の下側アームは、ハウジングの第２の下側開口部によって受容されるように構成されている、請求項１記載のコネクタ位置保証部材。
【請求項３】
前記前縁部は、ハウジングの突出部と係合するように構成されている、請求項１記載のコネクタ位置保証部材。
【請求項４】
前記前方先端部は、ハウジングのコネクタラッチと係合するように構成されている、請求項１記載のコネクタ位置保証部材。
【請求項５】
前記第１の上側アームは、第１の表面を有し、
前記第１の上側開口部は、第１の表面を有し、
前記第１の上側アームの前記第１の表面は、前記第１の上側開口部の前記第１の表面と係合するように構成されている、
請求項１記載のコネクタ位置保証部材。
【請求項６】
ハウジングの「Ｔ」字形のガイド部材を受容するように構成される、「Ｔ」字形の開口部をさらに備える、請求項１記載のコネクタ位置保証部材。
【請求項７】
前記前縁部は、前記コネクタ位置保証部材がプレセット位置にあるときに、ハウジングの突出部と係合するように構成され、
前記前縁部は、前記コネクタ位置保証部材がセット位置にあるときに、前記ハウジングの前記突出部から離間されるように構成されている、
請求項１記載のコネクタ位置保証部材。
【請求項８】
前記前方先端部は、前記コネクタ位置保証部材がプレセット位置にあるときに、ハウジングのコネクタラッチの第１の側部と係合するように構成され、
前記前方先端部は、前記コネクタ位置保証部材がセット位置にあるときに、前記ハウジングの前記コネクタラッチの第２の側部と係合するように構成されている、
請求項１記載のコネクタ位置保証部材。
【請求項９】
前記前方先端部の側部に少なくとも１つの袖部をさらに備え、
前記少なくとも１つの袖部は、ハウジングのラッチビームと係合する、請求項１記載のコネクタ位置保証部材。
【請求項１０】
前記前方先端部は、ハウジングのコネクタラッチと係合するように構成され、
前記少なくとも１つの袖部とラッチビームとの係合により、前記前方先端部が前記コネクタラッチの上方で移動することが妨げられる、
請求項９記載のコネクタ位置保証部材。
【請求項１１】
コネクタ位置保証部材を第１のハウジングと連結する方法であって、
コネクタ位置保証部材の第１のアームを第１のハウジングの第１の開口部内に受容するステップと、
前記コネクタ位置保証部材の前縁部と前記第１のハウジングの突出部とを係合するステップと、
前記コネクタ位置保証部材の前方先端部と前記第１のハウジングのコネクタラッチとを係合するステップと
を含み、
前記前縁部は、前記前方先端部から離間されており、前記第１のアームは、前記前縁部および前記前方先端部から離間されている、方法。
【請求項１２】
第１の上側アームを第１の上側開口部内に受容するステップであって、前記第１のアームが前記第１の上側アームに対応し、前記第１の開口部が前記第１の上側開口部に対応する、ステップと、
第１の下側アームを第１の下側開口部内に受容するステップであって、前記コネクタ位置保証部材が、前記第１の下側アームを有し、前記第１のハウジングが、前記第１の下側開口部を形成する、ステップと、
第２の上側アームを第２の上側開口部内に受容するステップであって、前記コネクタ位置保証部材が、前記第２の上側アームを有し、前記第１のハウジングが、前記第２の上側開口部を形成する、ステップと、
第２の下側アームを第２の下側開口部内に受容するステップであって、前記コネクタ位置保証部材が前記第２の下側アームを有し、前記第１のハウジングが前記第２の下側開口部を形成する、ステップと
をさらに含む、請求項１１記載の方法。
【請求項１３】
前記第１のアームの第１の表面と前記第１の開口部の第１の表面とを係合させるステップをさらに含む、請求項１１記載の方法。
【請求項１４】
前記第１のハウジングの「Ｔ」字形のガイド部材を前記コネクタ位置保証部材によって形成される「Ｔ」字形の開口部内に受容するステップをさらに含む、請求項１１記載の方法。
【請求項１５】
前記コネクタ位置保証部材は、前記前縁部が前記突出部と係合するときに、プレセット位置にある、請求項１１記載の方法。
【請求項１６】
前記第１のハウジングの端部を第２のハウジングによって形成される第１の開口部内に受容するステップと、
前記前方先端部および前記コネクタラッチを第２のハウジングによって形成される第２の開口部にあるように配置するステップと
をさらに含む、請求項１１記載の方法。
【請求項１７】
コネクタ位置保証部材であって、
一対の上側アームと、
一対の下側アームと、
前方先端部と、
前記前方先端部から離間されている前縁部と
を含む、コネクタ位置保証部材。
【請求項１８】
コネクタ位置保証部材によって形成される開口部に配置される中央ビームと
中央ビームに形成される前記前方先端部と
をさらに備える、請求項１７記載のコネクタ位置保証部材。
【請求項１９】
前記前方先端部に形成される一対の袖部をさらに備え、
前記コネクタ位置保証部材は、「Ｔ」字形の開口部を形成する、
請求項１８記載のコネクタ位置保証部材。
【請求項２０】
後方直立部をさらに備え、
一対の下側アームは、後方直立部から第１の距離で延び、一対の上側アームは、後方直立部から第２の距離で延び、第１の距離は、第２の距離よりも長い、請求項１７記載のコネクタ位置保証部材。
【国際調査報告】
2021516848.tif 000033